(57)【要約】【課題】車載機対応通信ソフトウエアをスマートフォン等にインストールされていなければ、種々のソフトウェアが車載機側で利用することができず、そのために車載機対応通信ソフトウェアをインストールするには、マニュアル等を見てインストールする必要があり面倒である、という問題点を解決する「外部通信機器接続制御システム」とする。【解決手段】車載機と外部通信機器とを接続し、外部通信機器にソケット通信を行い、通信できたか否かにより外部通信機器に対応通信ソフトを備えているか否かを判別し、備えていないと判別した時に、車載機側から外部のサーバーに、外部通信機器に対し対応通信ソフトを有するＵＲＬを含むメールを送信する。この対応通信ソフトは車載機側が備えても良い。また、メールアドレスは管理サーバーがもっているのが好ましい。車載機はナビゲーション装置であり、外部通信機器はスマートフォンである。【選択図】図１
2013128187.tif 000002
【特許請求の範囲】
【請求項１】
車載機と外部通信機器とを接続し、外部通信機器にソケット通信を行い、通信できたか否かにより外部通信機器に対応通信ソフトを備えているか否かを判別する対応通信ソフト有無判別手段を車載機に備え、
前記対応通信ソフト有無判別手段で対応通信ソフトを外部通信機器に備えていないと判別した時に、車載機側から外部のサーバーに、外部通信機器に対し対応通信ソフトを有するＵＲＬを含むメールを送信する代理メール送信手段を車載機に備えたことを特徴とする外部通信機器接続制御システム。
【請求項２】
対応通信ソフトが車載機器に存在する時には、車載機から取り込むことを特徴とする請求項１記載の外部通信機器接続制御システム。
【請求項３】
前記代理メールのメールアドレスは、管理サーバーに存在することを特徴とする請求項１記載の外部通信機器接続制御システム。
【請求項４】
前記外部通信機器はスマートフォンであることを特徴とする請求項１記載の外部通信機器接続制御システム。
【請求項５】
前記車載機はナビゲーション装置であることを特徴とする請求項１記載の外部通信機器接続制御システム。
【発明の詳細な説明】
【技術分野】
【０００１】
本発明は、ナビゲーション装置等の車載機にスマートフォン等の外部通信機器を接続して、そのソフトウエアを利用して使用することができるようにした外部通信機器接続制御システムに関する。
【背景技術】
【０００２】
近年携帯電話、スマートフォン等の外部通信機器を常時持ち歩き、種々の機能を利用することが多くなっている。そのため車両に乗っても、単なる外部通信機能のほか、ソフトウエアを用いた同様の機能を車両用のナビゲーション装置等で利用することが望まれることがある。特に外部通信接続機器の機能を用いて運転に必要な各種の機能をダウンロードし、その機能によってより運転を楽しむことができるようになる。
【０００３】
例えば図１１に示すように車載機としてナビゲーション装置１がある時、このナビゲーション装置のメーカーがサーバー３を備え、常日頃の運転の状況を取り込んでいる時、ドライブ中に必要であり、有用な、欲しい情報である、車両情報、ユーザーの行動情報の蓄積、及び行動解析によってユーザーが利用しているサービスから特に求められる情報を集約して提供する各種情報を蓄積している場合がある。
【０００４】
また、このサーバーにはインターネット網が接続し、種々の情報を取り込むことができる。また。近年利用されているＳＮＳ（social network service）のクラウドサービスの提供部門と接続し、運転中でもわかりやすい情報に加工し、配信することができるようになっており、これを利用することができるようになっている。
【０００５】
このような各種情報は携帯電話やスマートフォン等の特定のソフトウエアを備えた機器では取り込むことができるが、特定のソフトウエアを備えないナビゲーション装置では取り込むことができない。即ち、スマートフォン２では、このサーバー３に接続してこれらの情報を取り込むことができるソフトウエアを備えている時には、そのソフトウエアにより車両の位置、目的地、運転状況、再生曲等々の情報を取り込むことができる。
【０００６】
しかしながら、スマートフォン等に外部情報を取り込むソフトウエアが存在しても、車載機との対応通信ソフトウエアが存在しない時には、これらの情報を利用することができない。特に、ＷＥＢサーバー認証支援機能、目的地の転送、車両を降りる時に現在地をスマートフォン等に移す機能、車載機指定ＵＲＬの代理表示機能、指定された座標周辺の地図表示機能、衛星写真の表示機能、トラックボール的使用機能（ジェスチャーの転送機能）、照度センサの転送機能、温度センサの転送機能、ブラウザのブックマークや履歴の転送機能、文字列等の情報代理表示機能等の機能は、特定の対応通信ソフトウエアがなければ利用することができない。
【０００７】
なお、車載機は、携帯端末から送信される音楽データに対応する付属データ情報が表示できない場合に、付属データを表示するための携帯端末の設定又は操作の確認を促すメッセージを出力し、その後、外部の情報提供サーバーにアクセスし、携帯端末の設定又は操作方法の詳細を案内する技術は特許文献１に開示されている。
【先行技術文献】
【特許文献】
【０００８】
【特許文献１】特開２０１０−１４５７１７号公報
【発明の概要】
【発明が解決しようとする課題】
【０００９】
前記のように、外部に種々の情報があるのに対して、このスマートフォンとソケット通信を行う機能を備えないことにより、これを利用することができないが、ソケット通信機能を備える時には、これを利用して各種情報を取り込むことができる。
【００１０】
この接続手法は取扱説明書等に記載され、マニュアルに記載されているが、これを利用しようとする人にとって、マニュアル等を取り出して調べることが面倒である。そのため予めこのソケット通信機能をインストールしていない利用者にとっては、すぐに利用することができない。
【００１１】
即ち、従来技術においては、例えば図７に示すように、車載機器とスマートフォンとがソケット通信可能に接続するには車載機側からスマートフォン側に車載機器対応通信ソフトウエアをインストールする命令により、これをインストールすることにより実施される。
【００１２】
それにより図８に示すように、車載機とスマートフォントは車載機対応通信ソフトウエアがインストールされて接続し、車載機からスマートフォンに対してソケット通信の通信開始要求があると、スマートフォン側がら通信成功の返信が来て、必要ソフトの確認等の応答がなされる。
【００１３】
それに対して、スマートフォンに未だ車載機対応通信ソフトがインストールされていない時には、図９のように車載機側からスマートフォン側にソケット通信開始要求があると、スマートフォン側からが応答がなく、通信が失敗する。
【００１４】
それにより図１０に示すように、利用者はマニュアル等を参照してインターネットサーバーに対してメール番号の指示等によりインストールファイルの要求を行い、それに対してインターネットサーバーからスマートフォンに対してメール等によりインストールファイルの送信がなされ、それにより初めて車載機とスマートフォン等の通信が成功する。
【００１５】
このように、車載機対応通信ソフトウェアをスマートフォン等にインストールされていなければ、本来利用できる種々のソフトウェアが車載機側で利用することができず、そのために車載機対応通信ソフトウェアをインストールするには、マニュアル等を見てインストールするに必要があり面倒である、という問題点を解決することを主たる目的とする。
【課題を解決するための手段】
【００１６】
本発明に係る外部通信機器接続制御システムは、前記課題を解決するため、車載機と外部通信機器とを接続し、外部通信機器にソケット通信を行い、通信できたか否かにより外部通信機器に対応通信ソフトを備えているか否かを判別する対応通信ソフト有無判別手段を車載機に備え、前記対応通信ソフト有無判別手段で対応通信ソフトを外部通信機器に備えていないと判別した時に、車載機側から外部のサーバーに、外部通信機器に対し対応通信ソフトを有するＵＲＬを含むメールを送信する代理メール送信手段を車載機に備えたことを特徴とする。
【００１７】
また、本発明に係る外部通信機器接続制御システムは、前記外部通信機器接続制御システムにおいて、対応通信ソフトが車載機器に存在する時には、車載機から取り込むことを特徴とする。
【００１８】
また、本発明に係る外部通信機器接続制御システムは、前記外部通信機器接続制御システムにおいて、前記代理メールのメールアドレスは、管理サーバーに存在することを特徴とする。
【００１９】
また、本発明に係る外部通信機器接続制御システムは、前記外部通信機器接続制御システムにおいて、前記外部通信機器はスマートフォンであることを特徴とする。
【００２０】
また、本発明に係る外部通信機器接続制御システムは、前記外部通信機器接続制御システムにおいて、前記車載機はナビゲーション装置であることを特徴とする。
【発明の効果】
【００２１】
本発明は上記のように構成したので、車載機対応通信ソフトウェアをスマートフォン等の外部通信機器にインストールされていなければ、本来利用できる種々のソフトウェアが利用することができず、そのために車載機対応通信ソフトウェアをインストールするには、マニュアル等を見てインストールする必要があり面倒である、という問題点を解決し、マニュアル等を見ること無しに外部通信機器に対応通信ソフトをインストールすることができる外部通信機器接続制御システムとすることができる。
【図面の簡単な説明】
【００２２】
【図１】本発明の実施例の機能ブロック図である。
【図２】同実施例の作動フロー図である。
【図３】同実施例の他の作動フロー図である。
【図４】同実施例の更に他の作動フロー図である。
【図５】同実施例の機種・メールアドレス対応表の例である。
【図６】同実施例のＵＲＬ送付メールアドレスの例である。
【図７】車載機からスマートフォンへの車載機対応通信ソフト要求例を示す図である。
【図８】スマートフォンに対応通信ソフトを備えている時の例を示す図である。
【図９】スマートフォンに対応通信ソフトを備えていない時の例を示す図である。
【図１０】従来のスマートフォンに対応通信ソフトを備えていない時の対応例を示す図である。
【図１１】外部サーバーにより各種情報が収集され、利用される態様を示す図である。
【発明を実施するための形態】
【実施例】
【００２３】
本発明の実施例を図面に沿って説明する。図１は本発明における外部通信機器接続制御システムの実施例の機能ブロック図であり、本発明を各種の態様で実施することができるようにした機能ブロック図を示している。なお、同図において、各機能を行う機能部は、それぞれ各機能を行う手段ということができる。
【００２４】
図１に示す機能ブロック図は、本発明において車両用ナビゲーション装置等の車載機１と、外部通信機器の代表的例としてのスマートフォン２と、別途備えているナビゲーション装置のメーカや車両メーカのサービス部門のサーバー３の３つの部門を独立し存在している例を示している。
【００２５】
車載機１の対応通信ソフト有無確認部４では、ソケット通信要求部５は車載機ソケット通信応答部１１が、このスマートフォン２の中に対応通信ソフト１５が存在するか否かを確かめるために存在し、対応通信ソフトが存在する時には正常通信が行われ、応答確認部６で応答を確認することができることにより、スマートフォンには対応通信ソフトが存在することがわかる。例えばスマートフォン側のサーバーソケット（ポート番号は通常処理で使われていないものを使う）が開かれているか否かトライすることで判断する。従って通常の場合通信ソフトがスマートフォンに常駐していることを前提としている。
【００２６】
それに対して未だ対応通信ソフト１５がインストールされていない時には、ソケット通信によって通信することができず、このスマートフォンには未だ対応通信ソフトがインストールされていないことがわかる。この対応通信ソフトは、図示実施例では、車載機１に対応通信ソフト９として存在する場合と、サーバー３にインストール用対応通信ソフト１７として存在する場合がある例を示している。なお。通常のメール等はソケット通信ではないので通信することができる。
【００２７】
登録メールアドレス取得部７では、この車載機に対応通信ソフト９を備えておらず、スマートフォンにサーバー３から対応通信ソフトをインストールしなければならない時、車載機１に於いてスマートフォンの通信機能を利用して、サーバー３のメール送信部１８に対して、常日頃収集している特定機器の機種とメールアドレスの対応表１９を取り込む機能を行う。
【００２８】
代理メール送信要求部８においては、サーバー３のメール送信部１８に、代理メールをスマートフォン２に送信することを要求するものであり、車載機１とスマートフォン２が通常の通信機能によりメールの通信を行うことができる。それによりスマートフォン２はメール送信部１８から特定のＵＲＬにアクセスすることにより、インストール用対応通信ソフトを受け取り、そのＵＲＬをクリックすることにより対応通信ソフトをインストールすることができる。
【００２９】
対応通信ソフト９においては、前記のようにこの車載機に対応通信ソフトを備えている場合には、スマートフォン２に於いて対応通信ソフト取込部１６がこれを取り込み、インストールして対応通信ソフト１３として使用することができる。但し、このような対応通信ソフト９が車載機１に備えていない時には、後述するようにサーバーからインストール用対応通信ソフトウエアを取り込むほかない。
【００３０】
外部情報取込部１０は、車載機１の利用形態として外部の種々の情報を取り込んで利用するため、スマートフォン２の機能を利用して、サーバー３から種々の情報を取り込んで利用する。そのために車載機１はスマートフォン２と特定ソフトウエアにより通信可能に接続する必要があり、そのために対応通信ソフト１３をインストールする必要がある。
【００３１】
スマートフォン２における車載機ソケット通信応答部１１は、車載機の対応通信ソフト有無確認部４のソケット通信要求部５から通信できるか否かの問い合わせがあった時、対応通信ソフトが未だ存在しない時、通信できないことを示し、対応通信ソフトが存在する時、通信できることを示す。但し、実際には、車載機１側からスマートフォン２にソケット通信ができるか否かを試し、通信できた時には対応通信ソフト１５が既に存在することがわかり、通信でいない時には対応通信ソフト１５が存在しないことがわかる、という作動がなされる。
【００３２】
メール取得部１２においては、前記車載機１の代理メール送信要求部８から通常のスマートフォンの通信機能により、サーバー３のメール送信部１８にスマートフォン２が代理メールを受信するように指示があった時、ＵＲＬを記載したメールを受け取る。ファイルインストール部１３では、このメールに記載されたＵＲＬをメールＵＲＬクリック部１４でクリックすることにより、インストール用対応通信ソフト２０により対応通信ソフト１５をインストールすることができる。
【００３３】
対応通信ソフト取込部１６においては前記のように、車載機１に対応通信ソフト１９が存在する時、これを取り込んでインストールするものである。外部情報取込部１７においては、前記のように、車載機１の外部情報取込部１０において、サーバー３が収集した各種の収集情報２１を利用したい時、これをスマートフォン２の特定ソフトにより取り込んで利用し、更に、これをソケット通信機能により車載機に取り込んで利用する。
【００３４】
サーバー３のメール送信部１８では、機種・メールアドレス対応表１９において、常日頃収集している機種とメールアドレスの対応表を、車載機１の登録メールアドレス取得部７から要求があった時、これを出力する。この機種とメールアドレスの対応表は、新車購入時に、或いはナビゲーション装置等の購入時毎に、ここに登録される。インストール用対応通信ソフト２０においては、このＵＲＬをスマートフォンに送信する時、このＵＲＬをクリックすることによりインストール可能となる。
【００３５】
収集情報２１としては図示するように、車両の各種の情報２２と、走行情報２３と、インターネットに接続することにより得られる各種情報２４、ＳＮＳ等のクラウドサービスを、運転中でもわかりやすい情報に加工、配信するクラウド連係情報２５等が挙げられる。これらの情報が、スマートフォン２に対応通信ソフトがインストールされることにより、車載機側でも利用することができるようになる。
【００３６】
図１に示すような機能ブロック図からなる本発明は、図２に示す作動フロー図のようにして順に作動させることができる。即ち、図２には本発明の実施例に於いて、対応通信ソフトウエアが車載機本体にない場合の例を示している。その時には。車載機側からソケット通信開始要求がなされ、スマートフォンに対応通信ソフトが存在しないのでソケット通信ができず、通信エラーとなり、接続したスマートフォン等に対応通信ソフトウエアが存在しないため通信できないことにより、対応通信ソフトをインストトールする必要がある旨のダイアログを表示する。
【００３７】
次いで車載機から顧客管理サーバーに登録メールアトレスの取得を行う。この機能は車載機に接続したスマートフォンの通信機能を用いて顧客管理サーバーに、現在データを収集している顧客管理サーバーの機種・メールアドレス対応表を要求することにより行う。この時の機種・メールアドレス対応表としては図５に示すようなものであり、これが応答されてくる。
【００３８】
この中のこの車載機の機種とメールアドレスの対応表によって、選択したメールアドレスによりメールアドレスを指定してそのメールアドレスに対応通信ソフトを送るように代理メールを送信する。その時には、図６に示すような表示がなされ、「スマートフォン連携ソフトをインストールします」「ダウンロード先を送るメールアドレスを指定してください」のような表示がなされる。また、既に登録されているメールアドレスや、新規のメールアドレスの登録を行う表示等もなされる。
【００３９】
このようなメールを送信することにより、顧客管理サーバーからＵＲＬ付のメールがその指定したメールに届くことなる。スマートフォンでは新着メール着信表示がなされ、ユーザはこれを視認し、メールのＵＲＬをクリックすることとなる。それによりスマートフォンでは顧客管理サーバーにインストールファイルの要求がなされ、顧客管理サーバーからインストールファイルの送信がなされて、対応通信ソフトがインストールされる。
【００４０】
このような一連の処理により、車載機に対応通信ソフトがない場合、顧客管理サーバーにある対応通信ソフトをインストールすることによりスマートフォンは正常に作動し、スマートフォンを用いて顧客管理サーバーを含め、スマートフォンのソフトウエアにより種々の情報を車載機側で利用可能となる。
【００４１】
対応通信ソフトが車載機にある場合は図３に示すようにして対応通信ソフトをインストールすることができる。即ち、通信開始要求としてソケット通信のトライがなされると、スマートフォンからエラーの送信により対応ソフトが存在しないことがわかり、車載機に対して対応通信ソフトのインストール要求がなされる。それにより、車載機側から対応通信ソフトであるインストールファイルが送信され、それにより対応通信ソフトがインストールされる。この機能は、サーバーに対応通信ソフトがあるか否かを問い合わせる前に、車載機側に対応通信シフトをもっているか否かを問い合わせるようにしても良い。
【００４２】
更にこのスマートフォンに、前記のようにして既に対応通信ソフトがインストールされている時には、図４に示すように、スマートフォンが電源オンし、通信ソフトが起動している時、通信開始要求がなされ、ソケット通信のトライがなされると、これに対応して通信がなされ、スマートフォンには対応通信ソフトがインストールされていることがわかる。
【符号の説明】
【００４３】
１  車載機
２  スマートフォン
３  サーバー
４  対応通信ソフト有無確認部
５  ソケット通信要求部
６  応答確認部
７  登録メールアドレス取得部
８  代理メール送信要求部
９  対応通信ソフト
１０  外部情報取込部
１１  車載機ソケット通信応答部
１２  メール取得部
１３  ファイルインストール部
１４  メールＵＲＬクリック部
１５  対応通信ソフト
１６  対応通信ソフト取込部
１７  外部情報取込部
１８  メール送信部
１９  機種・メールアドレス対応表
２０  インストール用対応通信ソフト
２１  収集情報
２２  車両情報
２３  走行情報
２４  インターネット情報
２５  クラウド連携情報
【図１】
2013128187.tif 000003
【図２】
2013128187.tif 000004
【図３】
2013128187.tif 000005
【図４】
2013128187.tif 000006
【図５】
2013128187.tif 000007
【図６】
2013128187.tif 000008
【図７】
2013128187.tif 000009
【図８】
2013128187.tif 000010
【図９】
2013128187.tif 000011
【図１０】
2013128187.tif 000012
【図１１】
2013128187.tif 000013